(57)【要約】【課題】容器を同じ形状の複数片に切り離し、積み重ねることで、その専有容積を大幅に縮小できるようにした容器を提供する。【解決手段】平面視が正ｎ角形又は円形である容器の平面視形状の重心から周縁に向かって放射状に、中心角２πを２又はｎ等分（ｎは３以上）の角度に分割する切離線を設け、形成される切離片が同一形状又は対称形状となるようにするという手段を採用した。また、容器の平面視形状が長方形状又は楕円形状である場合には、その対称軸に沿って切離線を設けるという手段を採用した。この場合、上記容器は、底面部と、その底面部から上方に拡開するテーパー側面部を有するものとし、上記切離線は、ミシン目又は切り込み線で形成することとした。【選択図】図１
2010184741.tif 000002
【特許請求の範囲】
【請求項１】
平面視が正ｎ角形又は円形である容器の平面視形状の重心から周縁に向かって放射状に、中心角２πを２又はｎ等分（ｎは３以上）の角度に分割する切離線を設け、形成される切離片が同一形状又は対称形状となるようにしたことを特徴とする容器。
【請求項２】
平面視が長方形状である容器の対称軸に沿って切離線を設けたことを特徴とする容器。
【請求項３】
平面視が楕円形状である容器の対称軸に沿って切離線を設けたことを特徴とする容器。
【請求項４】
容器は、底面部と、その底面部から上方に拡開するテーパー側面部を有するものである請求項１から請求項３のいずれか１項記載容器。
【請求項５】
切離線をミシン目で形成した請求項１から請求項４のいずれか１項記載の容器。
【請求項６】
切離線を切り込み線で形成した請求項１から請求項４のいずれか１項記載の容器。
【発明の詳細な説明】
【技術分野】
【０００１】
この発明は、使用時には十分な収容容積を持つが、廃棄時には小さく切り離し、積み重ねることで極めて小さい容積とすることのできる容器に関するものである。
【背景技術】
【０００２】
従来、種々の場面で用いられる合成樹脂、発泡樹脂、紙等からなる比較的底深の各種容器は、その使用後は膨大なゴミとなり、その専有容積が比較的大きいことから、運搬費用、リサイクル費用、ゴミ処理費用等が高額となるなど、大きな問題を有している。
【０００３】
このうち、スーパーやコンビニなどで惣菜や弁当を収容する容器は、ある程度規格化されているので、同じ形状の容器を積み重ねることにより、その嵩を小さくすることができる。
【０００４】
一方、冷凍食品などで用いられる容器としては、例えば特許文献１に開示されているように、食品を個別に収容でき、これを使用する際に、使用する分だけ容器の収納部ごとミシン目で分割することができるように連結された小分け容器もある。
【先行技術文献】
【特許文献】
【０００５】
【特許文献１】特開平１０−１５７７２０号公報
【発明の概要】
【発明が解決しようとする課題】
【０００６】
しかしながら、従来の各種容器は、高さ方向に積み重ねることができるだけで平面の占める大きさは変わらないから、廃棄時及び廃棄後においても、その保管や運搬には、ある程度のスペースを必要としていた。
【０００７】
また、特許文献１に開示されているような容器も、使用時の利便性のためにミシン目を設けたものであり、廃棄時にその容積を小さくできるものではなかった。
【０００８】
本発明は、容器を同じ形状の複数片に切り離し、積み重ねることで、その専有容積を大幅に縮小できるようにした容器を提供することを目的とするものである。
【課題を解決するための手段】
【０００９】
本発明では、上記課題を解決するため、平面視が正ｎ角形又は円形である容器の平面視形状の重心から周縁に向かって放射状に、中心角２πを２又はｎ等分（ｎは３以上）の角度に分割する切離線を設け、形成される切離片が同一形状又は対称形状となるようにするという手段を採用した。
【００１０】
容器形状が平面視で正ｎ角形又は円形である場合、重心から周縁に放射状に切離線を設けることにより、容器を複数の同一形状又は対称形状の切離片に分割することができる。
【００１１】
また、平面視が長方形状である場合、その対称軸に沿って切離線を設けるという手段を採用した。
【００１２】
さらに、平面視が楕円形状である場合、その対称軸に沿って切離線を設けるという手段を採用した。
【００１３】
容器の平面視形状が長方形状又は楕円形状の場合には、上記放射状の切離線を、重心を通る対称軸と一致させた場合に、容器を複数の同一形状又は対称形状の切離片に分割することができる。
【００１４】
そして、上記容器は、底面部と、その底面部から上方に拡開するテーパー側面部を有するものとするという手段を採用した。
【００１５】
テーパー側面部を有することで、使用前も、切り離し後も、重ね合わせが容易で、嵩が低くなる。
【００１６】
この場合、切離線をミシン目で形成するという手段を採用した。
【００１７】
また、切離線を、切り込み線で形成するという手段を採用した。
【００１８】
切離線の態様は任意であるが、例えばＶ字溝等からなる切り込み線を設ければ貫通穴がないので、汁気の多い収納物でもその汁気が漏出することがない。
【発明の効果】
【００１９】
本発明に係る容器は、平面視が正ｎ角形又は円形である容器の平面視形状の重心から周縁に向かって放射状に、中心角２πを２又はｎ等分（ｎは３以上）の角度に分割する切離線を設けているので、該部で切り離すことで同一形状又は対称形状の切離片が複数できることになる。そのため、これらを重ね合わせることで、平面視の面積は少なくと２又はｎ分の１となり、その専有容積も同様にほぼ２又はｎ分の１となる。従って、廃棄後の保管や運搬に大きなスペースを必要とせず、従来に比べると数倍の量を一度に処理できるようになるので、効率的であり、すべてにおいて省力化が期待できる。
【００２０】
また、容器の平面視形状が長方形状又は楕円形状の場合には、上記放射状の切離線として重心を通る対称軸とする場合に、容器を複数の同一形状又は対称形状の切離片に分割することができ、それらを重ね合わせることで、同様にその専有容積を大幅に縮小できる。
【００２１】
また、容器はテーパー側面部を設けているので、使用前であっても、積み重ねが容易で、保管スペースを小さくできる。また、切り離し後も同様に、積み重ねが容易となり、専有容積を小さくできる。
【００２２】
また、切離線をミシン目又は切り込み線とすることで、切り離しが容易であり、特に切り込みとした場合は、肉薄部分を形成して切り離し容易となるので、貫通穴がなく、汁気の多い収容物であって、その水分が漏出することがなく、衛生的である。
【図面の簡単な説明】
【００２３】
【図１】（Ａ）は本発明に係る容器の平面図、（Ｂ）は同形状の容器を容器本体とと蓋体として対向させて重ねた態様の側面図である。
【図２】（Ａ）は容器を切り離した後の平面図、（Ｂ）はその側面図である。
【図３】（Ａ）は切離片を２つのグループに分けた斜視図、（Ｂ）はそれぞれを重ねた状態の側面図、（Ｃ）は全部を重ねた状態の側面図である。
【図４】容器の平面視形状と、それぞれの容器に設ける切取線の態様を例示したものである。
【発明を実施するための形態】
【００２４】
以下、本発明に係る容器の好ましい実施形態を、添付図面に従って説明する。図１において、１は平面視長方形状である程度の深さのある容器で、２はその平坦な底面部、３、３・・は上記底面部２の四辺から上方に拡開延伸するテーパー側面部である。このように四辺をテーパー側面部３、３・・で構成することにより、容器の収容可能な容積を大きくすることができると共に、使用前の保管時には、互いに積み重ねることが可能となり、保管スペースを小さくすることができる。そして、通常、この容器単独で使用するか、同図（Ｂ）に示すように、この容器１を２枚、互いに対向して重ね合わせ、下方を容器本体、上方を蓋体として機能させ、その内部に各種食品などを収容する。
【００２５】
なお、この容器の素材は特に限定するものではなく、一般的に使用される合成樹脂や生分解性を有する合成樹脂、発泡樹脂、紙等で構成される。
【００２６】
次に、４、４は、この容器１を複数片に切り離せるように、底面部２及びテーパー側面部３の全域にわたって設けた切離線である。この切離線４、４は、容器１の長方形状の平面視において、その重心を通って容器周縁まで、縦方向及び横方向に直交して設けている。即ち、長方形状の重心を通る対称軸にそって切離線は設けられる。容器の廃棄時に、この切離線４、４によって複数片に切り離すのであるが、そのとき、それぞれの切り離し片が同一形状、又は対称形状となるような位置に設ける。なお、この場合、必要に応じて縦又は横の一方の切離線のみを設けることを除外するものではない。
【００２７】
この切離線４、４は、使用する素材の特性に従って従来公知の手段により設ける。例えば合成樹脂を用いた場合、プレス成形等によって容器を製造するが、そのとき同時に切離線を形成することが可能である。また、別工程で後から設けることも可能である。
【００２８】
なお、この切離線４、４は、容器１を切り離すために設けるものであるから、その態様としては、例えばミシン目のように所定間隔で貫通穴を連続して穿設したものがあり、その他、切り込み線として、Ｖ字溝のようにその部分だけ極めて肉薄のものとし、該部で切り離し容易とするものなどであってもよく、切り離し可能な既存の種々の態様を採用することができる。特に収納物が汁気を有する場合には、切り込み状とすれば貫通する穴がないので、容器から汁気が漏出することがない。
【００２９】
続いて、本発明に係る上記容器の使用法について説明する。上述のように、未使用時には、テーパー側面部３を設けたことで上下に積み重ね可能であり、保管スペースを小さくすることができる。そして、使用の際には、従来のこの種の容器と同様に底面部２に食品などの所望の収納物を載置、収容する。このとき上面開口は、ラップフィルムで被覆するようにしてもよいし、同じ形状の容器１を互いに対向して重ね合わせ、一方を蓋体のように機能させて開口部を閉塞し、ラップフィルム等で全体を被覆することもできる（図１（Ｂ）参照。）。
【００３０】
次に、廃棄時には、図２に示すように、この容器（及び蓋体）を切離線４、４に沿って四片に切り離す。これにより容器は、同一形状の切離片１ａ、１ａと、それと対称形状の切離片１ｂ、１ｂの２種類に分割される。蓋体があれば、同様に切り離す。これにより、図３（Ａ）に示すように、２種類の形状の切離片のグループができることになる。これらを同図（Ｂ）のように同じ種類の切離片同士を重ね合わせれば、それぞれ平面視で元の容器の大きさの４分の１の大きさになり、その容積も同様にほぼ４分の１になる。このとき厚さはほぼ４倍になるが、元々個々の容器の厚さが薄いので、重ねても大きな問題とはならない。このため、切り離し後の容器は、その容積を大幅に縮小することが可能となる。
【００３１】
なお、この切離片１ａ、１ｂは、広い面積を占める平坦な底面部２ａ、２ｂが共通するので、図３（Ｃ）に示すように、その底面部２ａ、２ｂを重ね合わせることができる。この場合、元の大きさのほぼ８分の１にまでその容積を縮小することができる。
【００３２】
また、容器の大きさが比較的小さい場合には、縦又は横の一方の切離線を省略することもある。この場合でも、容積をほぼ２分の１に縮小することができる。
【００３３】
なお、上記実施形態では、平面視長方形状の容器を例に説明したが、図４（Ａ）に示すように、平面視正方形状の容器にも適用できることはもちろんである。その場合には、縦横の対称軸に沿った切離線で切り離した切離片は、四片が共に同じ形状となるので、すべての切離片を一度に積み重ねることが可能となり、一気にほぼ４分の１又は８分の１の容積まで縮小できることになる。また、正方形状の場合には、同図（Ｂ）のように、重心を通り対角線上に切離線を設けてもよい。この場合切離片は、四片が同じ三角形状となるが、上例と同様に積み重ねることが可能である。
【００３４】
本発明は、図４（Ｃ）、（Ｄ）に例示するように、平面視が正ｎ角形状（図では、正五角形及び正六角形を例示している。）の容器にも応用が可能である。即ち，その重心から周辺角部に放射状に切離線を設ければ、切離片として、同じ三角形状のものが複数形成されるので、それらを積み重ねることで、容積を大幅に縮小できる。一般的には、中心角２πを２又はｎ等分（ｎは３以上）するように切離線を設ければ、同一形状の切離片を形成することができる。
【００３５】
さらに、図４（Ｅ）、（Ｆ）に例示するように、平面視が真円形状や楕円形状の容器に適用した場合にも、同様にその重心点から放射状に切離線を設ければ、同一形状又は対称形状の切離片が形成されるので、廃棄時にその容積を縮小することができる。図４（Ｆ）の楕円形状の場合には、対称軸である長軸及び短軸に沿って切離線を設けることになるが、真円形状の場合は、その中心角２πを２又はｎ等分（ｎは３以上）するように切離線を設ければよく、図示するような四等分に限定するものではない。
【００３６】
即ち、平面形状の重心から放射状に設ける切離線によって同一形状又は対称形状の複数の切離片が形成されるようなものであれば、種々の形状の容器に適用できるもので、容器の平面視が正ｎ角形又は円形である場合は、中心角２πを２又はｎ等分（ｎは３以上）の角度に分割するような切離線となり、容器の平面視が長方形状又は楕円形状の場合には、その対称軸に沿った切離線となる。
【００３７】
このように、本発明に係る容器は、使用時には従来の容器と同様に機能し、廃棄時には切離線で分割することによって、その専有する容積を、元の容器のほぼ２又はｎ分の１に縮小することが可能である。従って、廃棄後の保管や運搬に大きなスペースを必要とせず、従来に比べると数倍の量を一度に処理できるようになるので、効率的であり、すべてにおいて省力化が期待できる優れた発明である。
【符号の説明】
【００３８】
１    容器
１ａ、１ｂ  切離片
２    底面部
３    テーパー側面部
４    切離線
【図１】
2010184741.tif 000003
【図２】
2010184741.tif 000004
【図３】
2010184741.tif 000005
【図４】
2010184741.tif 000006